(57)【要約】【課題】  先行技術では、箱型の監視カメラに於ける、小型薄型化（特に薄型化）とローコスト化の両立が困難であった。【解決手段】  複数のプリント基板をカメラ本体の設置面に対し略垂直に、且つレンズ鏡筒ユニットの光軸方向に略平行となるように配設し、前記複数の基板の電子部品を含んだ総厚が、レンズ鏡筒ユニットの外形と略同一になるように構成する。【選択図】  図３
2014235181.tif 000002
【特許請求の範囲】
【請求項１】
レンズ鏡筒ユニットと、電子部品が実装された少なくとも２枚のプリント基板と、を備えた撮像装置に於いて、
前記プリント基板は、前記撮像装置の設置面に対し略垂直に、且つ前記レンズ鏡筒ユニットの光軸方向に略平行となるように配設され、
前記複数のプリント基板の電子部品を含んだ総厚は、前記レンズ鏡筒ユニットの外形と略同一になるように構成されること、を特徴とする。
【請求項２】
請求項１記載の撮像装置に於いて、該撮像装置の前記レンズ鏡筒ユニットの光軸方向の全長は、前記複数のプリント基板のうち少なくとも１枚の全長と、前記レンズ鏡筒ユニットの全長の総和に略等しいこと、を特徴とする。
【請求項３】
請求項１乃至２記載の撮像装置の外装は、熱伝導性の高い材料で形成され、前記プリント基板は、該プリント基板に於ける外装に対向する面に、相対的に消費電力の高い電子部品が具備されること、を特徴とする。
【請求項４】
請求項３記載の外装は、略同一形状の少なくとも２部品から構成されること、を特徴とする。
【請求項５】
請求項１乃至２記載の撮像装置は、三脚穴部材を具備し、該三脚穴部材は、前記複数のプリント基板に挟持されるように配設されること、を特徴とする。
【請求項６】
請求項１乃至２記載の撮像装置に於いて、前記複数のプリント基板のうち少なくとも１枚は、該プリント基板に於ける外装に対向しない面に、前記三脚穴部材の外形と略同一の高さとなる電子部品を具備すること、を特徴とする。
【請求項７】
請求項６記載の電子部品は、少なくともＲＪ４５コネクタを含む外部インターフェースコネクタであること、を特徴とする。
【発明の詳細な説明】
【技術分野】
【０００１】
本発明は、監視カメラの構造に関する。
【背景技術】
【０００２】
近年、画像を遠隔的にモニタリングできる監視カメラに於いて、小型薄型化のニーズが急速に高まっている。監視カメラは、その用途並びに価格の位置付け上、大きくドーム型と箱型に分類され、夫々において種々の配置形態が開示されている。
【０００３】
例えば特開２０１２−７００３８では、箱型に分類される監視カメラに於いて、カメラ本体の側面に対して略平行に複数のプリント基板を配設している。更にこの監視カメラに於いては、背面から外部インターフェースコネクタが露出するように前記複数の基板と直交するコネクタ基板を配設している。
【０００４】
また、箱型に分類される公知の実施形態のその他の例として、カメラ本体の側面に対して略平行に複数のプリント基板を配設し、該基板の外装に対向する面にＲＪ４５コネクタを含む高背の外部インターフェースコネクタを配設したものも知られている。
【先行技術文献】
【特許文献】
【０００５】
【特許文献１】特開２０１２−７００３８
【発明の概要】
【発明が解決しようとする課題】
【０００６】
しかしながら、特開２０１２−７００３８では、カメラ本体の側面に対して略平行となるように具備したプリント基板とは別に、専用のコネクタ基板を備えており、コストアップに繋がるだけでなく、カメラ本体の小型化も阻む要因となっていた。
【０００７】
また、カメラ本体の側面に対して略平行に複数のプリント基板を配設し、該基板の外装に対向する面にＲＪ４５コネクタを含む高背の外部インターフェースコネクタを配設する形態に於いては、カメラ本体の薄型化に支障を来していた。
【０００８】
なぜならば、カメラ本体の基板直交方向の厚みが実質的にＲＪ４５コネクタで決定付けられる為、ＲＪ４５コネクタ以外のプリント基板面と外装に囲まれる領域がデッドスペースとなり、スペース効率が低下してしまうからである。
【課題を解決するための手段】
【０００９】
そこで上記課題を解決する為、請求項１記載の撮像装置は、レンズ鏡筒ユニットと、電子部品が実装された少なくとも２枚のプリント基板と、を備え、前記プリント基板は、前記撮像装置の設置面に対し略垂直に、且つ前記レンズ鏡筒ユニットの光軸方向に略平行となるように配設され、前記複数のプリント基板の電子部品を含んだ総厚は、前記レンズ鏡筒ユニットの外形と略同一になるように構成されること、を特徴とする。
【発明の効果】
【００１０】
本発明によれば、カメラ本体の設置面に対して略垂直に、且つレンズ鏡筒ユニットの光軸方向に対して略平行となるように複数の基板を配設し、該プリント基板の総厚をレンズ鏡筒ユニットの外形と略同一となるように構成することができる。なおかつ、少なくともＲＪ４５コネクタを含む外部インターフェースコネクタを該プリント基板に於ける外装に対向しない面に配設することができる。
【００１１】
これにより、カメラ本体のスペース効率が向上し、小型薄型化を実現できるだけでなく、従来技術に於いて具備されていた専用のコネクタ基板も不要となり、ローコスト化も可能となる。また、小型薄型化により、設置箇所との親和性（目立ち辛さ）も向上し、被監視者へ与える威圧感も低減することができる。
【図面の簡単な説明】
【００１２】
【図１】本発明を適用した監視カメラの外観図
【図２】本発明を適用した監視カメラの分解斜視図（全体分解図）
【図３】本発明を適用した監視カメラの分解斜視図（部分分解図）
【発明を実施するための形態】
【００１３】
以下添付図に従って、本発明を撮像装置であるところの監視カメラに適用した場合の実施形態について詳説する。
【００１４】
図１は本発明を適用した監視カメラの外観図であり、上カバー１０１、下カバー１０２、前カバー１０４、後カバー１０５から構成されている。１０３は、三脚穴部材であり、天井等の設置対象に固定された三脚取付アタッチメントを介して、カメラ本体が固定される。１０４−ａは前カバー１０４に於いて、後述するレンズ鏡筒ユニット２０１の周囲に形成される遮光線であり、レンズ内への有害光の入射を抑制するものである。
【００１５】
１０８は、通信及び給電を司るＲＪ４５コネクタ、１０９は、音声検知等の外部センサーが接続される外部デバイス入出力コネクタである。１１０は、音声入出力コネクタ、１１１は、各種設定値を工場出荷状態に戻す為の初期化スイッチ、１０７は、カメラ内の情報を読み書きする為のデバッグコネクタを保護する為に具備された第一のカバー部材である。
【００１６】
１０６は、後述する外部記憶手段（不揮発性メモリ等）３０１を保護する為の第二のカバー部材であり、ユーザーの着脱操作性に配慮し、ゴム材等の弾性体により形成されている（第一のカバー部材１０７も同様）。外部記録手段３０１は、映像データのバックアップ等の役割を担い、カメラ本体に対し挿抜可能となるように構成されている。また、１１２は、カメラの使用状態や異常を通知する為のタリーランプである。
【００１７】
図２、図３は夫々、本発明を適用した監視カメラの分解斜視図（全体分解図、部分分解図）である。
【００１８】
２０２、２０３は夫々、第一、第二のプリント基板であり、カメラ本体の設置面であるところの上カバー１０１の上面部に対し略垂直に、且つレンズ鏡筒ユニット２０１の光軸方向に対して略平行となるように配設されている。なお、本実施形態における第一のプリント基板２０２および第二のプリント基板２０３は、２枚のプリント基板に相当する。
【００１９】
２０５はメインシャーシであり、カメラ本体の部品点数を最小化する為に、筺体内部の主たるユニット・部材、及び外装の保持（仮保持）の役割を担っている。具体的には、第一のプリント基板２０２、第二のプリント基板２０３、上カバー１０１、下カバー１０２、三脚穴部材１０３の保持、更にレンズ鏡筒ユニット２０１（前カバー１０４を含む）の仮保持を行っている。先ず、メインシャーシ２０５に対し、第一のプリント基板２０２、第二のプリント基板２０３を螺子等の手段により固定し、レンズ鏡筒ユニット２０１に具備された複数の係止爪２０１−ｃを、メインシャーシ２０５に設けられた開口穴２０５−ａに嵌め込む。この時点では、該レンズ鏡筒ユニット２０１は、メインシャーシ２０５に対して仮保持された状態である。
【００２０】
この状態で、上カバー１０１、下カバー１０２に具備された係止突起部１０１−ａ、１０２−ａを、前カバー１０４、後カバー１０５に夫々設けられた係止穴部１０４−ａ、１０５−ａに合わせる。そして、このように合わせながら、該メインシャーシ２０５に具備された位置規定手段対し、上カバー１０１、下カバー１０２を嵌め込み、螺子等の手段により固定する。
【００２１】
ここで、レンズ鏡筒ユニット２０１及び後カバー１０５は、上述の上カバー１０１及び下カバー１０２がメインシャーシ２０５に対して螺子固定される際に、係止穴部１０４−ａ、１０５−ａによって一位的にカメラ本体に対する位置が規定される。
【００２２】
このように規定されると共に、隣接する部品に挟持されることにより組込状態での固定が確保されている。これにより、外装間の間隙が低減し、美観が向上するだけでなく、螺子等の固定手段も不要となる為、ローコスト化に繋げることが可能となる。
【００２３】
また、本実施形態では、上カバー１０１と下カバー１０２を、熱伝導性の高いアルミ製の板材（材料）で形成すると共に、双方を略同一のコの字形状としている。つまり、本実施形態における上カバー１０１および下カバー１０２は、略同一形状の２部品に相当する。
【００２４】
上カバー１０１のみに三脚穴部材１０３が挿通するような開口部が設けてあるが、順送型に於ける最終工程の前後で下カバー１０２、上カバー１０１を振り分ける形態としている。これにより、型投資を最小化できることに加え、製品コストも低減することが可能となる。尚、本実施例では、上カバー１０１のみに三脚穴部材１０３を挿通させる為の開口部を形成しているが、下カバー１０２に対しても同様の開口部を形成し、双方を同一形状部品としても良いことは言うまでも無い。
【００２５】
１枚のプリント基板であるところの第一のプリント基板２０２には、低背で比較的消費電力の高い画像処理回路、ネットワーク処理回路、メモリ等が実装され（２０２−ａ）る。
【００２６】
また、第一のプリント基板２０２の裏面には、外部記録手段３０１を挿抜する為の第一のコネクタ２０２−ｂ、該第一のプリント基板２０２と第二のプリント基板２０３を電気的に接続する為の第二のコネクタ２０２−ｃが実装されている。さらに、この裏面には、レンズ鏡筒ユニット２０１に保持された撮像素子ユニット２０１−ｂと電気的に接続する為の第三のコネクタ２０２−ｄも実装されている。
【００２７】
第二のプリント基板２０３には、高背の電子部品であるところの外部インターフェースコネクタ、トランスに代表される電源系ＩＣ  ２０３−ｂが実装され、裏面には、相対的に低背で消費電力の高い電子部品２０３−ａが実装されている。
【００２８】
ここで、外部インターフェースコネクタとは、ＲＪ４５コネクタ１０８、外部デバイス入出力コネクタ１０９、音声入出力コネクタ１１０、初期化スイッチ１１１、デバッグコネクタ１０７である。
【００２９】
尚、３０３は、第一のプリント基板２０２と第二のプリント基板２０３を接続するフレキシブルプリント基板、２０４は、第一のプリント基板と撮像素子ユニット２０１−ｂを接続するワイヤーハーネスである。
【００３０】
ここで、第一のプリント基板２０２は、組込状態に於いて、低背で比較的消費電力の高い電子部品２０２−ａの実装面が、上カバー１０１に対向するように配設されている。同様に、第二のプリント基板２０３も、相対的に低背で消費電力の高い電子部品２０３−ａの実装面が、下カバー１０２に対向するように配設されている。
【００３１】
これにより、上下カバー１０１、１０２を経由して外気中に効果的に放熱できるだけでなく、カメラ本体の高さ方向の律速を最小化することが可能となる。尚、より放熱効果を高める為に、上下カバー１０１、１０２と電子部品２０２−ａ、２０３−ａの間に、弾性のある放熱シート部材（不図示）を介在させても良い。
【００３２】
また、第二のプリント基板２０３に於ける、高背の外部インターフェースコネクタの実装面は、下カバー１０２に対向しないように、次のような形態となっている。即ち、該第二のプリント基板２０３上の外部インターフェースコネクタが、第一のプリント基板２０２と第二のプリント基板２０３に挟持される形態となっている。
【００３３】
ここで、本実施形態では、三脚穴部材１０３を、第一のプリント基板２０２と第二のプリント基板２０３に挟持されるように配設している。さらには、三脚穴部材１０３の外径Ｆ１と、ＲＪ４５コネクタ１０８の高さＨ１、電源系ＩＣ  ２０３−ｂの高さＨ２、とが略同一となるような構成としている。
【００３４】
これにより、第一のプリント基板２０２と第二のプリント基板２０３間の、プリント基板に直交する方向の厚みの律速要件が、単独の１部品ではなく複数の部品となり、スペース面での合理化が図れる。更に、組込状態に於ける、第一のプリント基板２０２から第二のプリント基板２０３までの電子部品を含んだ総厚Ｄ１を、レンズ鏡筒ユニット２０１の外形Ｄ２と略同一となるように形成しているので（図３）、カメラ本体の薄型化に繋げることができる。
【００３５】
また、本実施形態では、第一のプリント基板２０２の光軸Ｏ方向の長さＬ１と、第二のプリント基板２０３の長さＬ２が略同一となるように構成している。なおかつ、本実施形態では、何れか一方の長さ（Ｌ１またはＬ２）とレンズ鏡筒ユニット２０１の長さＬ３との和（総和）が、カメラ本体の全長と略同一と（略等しく）なるような形態としている。
【００３６】
これにより、上述の厚み方向のみならず光軸方向に対してもカメラ本体の小型化に寄与するものである。
【００３７】
これまで述べてきたように、本発明によれば、カメラ本体のスペース効率が向上し、小型薄型化を実現できるだけでなく、従来技術に於いて具備されていた専用のコネクタ基板も不要となり、ローコスト化も可能となる。また、小型薄型化により、設置箇所との親和性（目立ち辛さ）も向上し、被監視者へ与える威圧感も低減することができる。
【００３８】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３９】
１０１  上カバー
１０２  下カバー
１０３  三脚穴部材
１０８  ＲＪ４５コネクタ
２０１  レンズ鏡筒ユニット
２０２  第一のプリント基板
２０２−ａ  電子部品（低背）
２０３  第二のプリント基板
２０３−ａ  電子部品（低背）
２０３−ｂ  電子部品（高背）
【図１】
2014235181.tif 000003
【図２】
2014235181.tif 000004
【図３】
2014235181.tif 000005